(57)【要約】【課題】口腔内に紫外線を照射して口腔内の殺菌を行うようにし、従来の殺菌剤を用いる方法と全く異なる方法で、口腔内の殺菌を行うようにした。【解決手段】握持部１１内に配設された多数の紫外線ＬＥＤと、これら紫外線ＬＥＤからの紫外線が導入され、導入された紫外線を導く導光体部１２と、該導光体部１２の先端部において前記紫外線を放出する紫外線放射先端部１３から成る。紫外線放射先端部１３は口腔内に挿入可能であり、該紫外線放射先端部１３から放射される紫外線によって口腔内を殺菌する。【選択図】図１
2006296827.tif 000002
【特許請求の範囲】
【請求項１】
多数の紫外線ＬＥＤと、これら紫外線ＬＥＤからの紫外線が導入され、導入された紫外線を導く導光体と、該導光体の先端部において前記紫外線を放出する紫外線放出部から成り、該紫外線放出部は口腔内に挿入可能であり、該紫外線放出部から放射される紫外線によって口腔内を殺菌するようにしたことを特徴とする口腔内殺菌装置。
【請求項２】
導光体又は光散乱体からなる外郭体と、該外郭内に配設された多数の紫外線ＬＥＤとから成り、該多数の紫外線ＬＥＤからの紫外線を前記外郭体を通して外部に放射する紫外線放射装置であって、前記外郭体は口腔内に挿入可能であり、前記紫外線ＬＥＤから放射される紫外線を口腔内に放射して口腔内を殺菌するようにしたことを特徴とする口腔内殺菌装置。
【請求項３】
歯科用無影灯に取り付けられた多数の紫外線ＬＥＤから成り、該紫外線ＬＥＤからの紫外線を直接及び／又は無影灯ミラーによって反射して、前記紫外線ＬＥＤから放射される紫外線を口腔内に照射して口腔内を殺菌するようにしたことを特徴とする口腔内殺菌装置。
【発明の詳細な説明】
【技術分野】
【０００１】
本発明は、口腔内殺菌装置、より詳細には、多数の紫外線ＬＥＤを使用し、該紫外線ＬＥＤが発する紫外線を口腔内に放射して口腔内を殺菌するようにした口腔内殺菌装置に関する。
【背景技術】
【０００２】
口腔内には、種々の細菌が繁殖しており、これらが悪臭を放ち、更には、歯肉炎、歯周病、口内炎等を引き起こす。これら口腔内菌に対して、従来、種々の薬用うがい剤が市販され、該薬用うがい剤にて口腔内の洗浄、殺菌等が行われていた。この口腔内殺菌剤は消耗品であり、常備していなければならず、その補充、保管管理が要求され、取り扱いが不便であった。
【発明の開示】
【発明が解決しようとする課題】
【０００３】
本発明は、紫外線ＬＥＤからの紫外線を口腔内に照射して口腔内の殺菌を行うようにしたもので、従来の殺菌剤を用いる方法と全く異なる方法で、口腔内の殺菌を効果的に行うようにしたものである。
【課題を解決するための手段】
【０００４】
請求項１の発明は、多数の紫外線ＬＥＤと、これら紫外線ＬＥＤからの紫外線が導入され、導入された紫外線を導く導光体と、該導光体部の先端部において前記紫外線を放出する紫外線放出部から成り、該紫外線放出部は口腔内に挿入可能であり、該紫外線放出部から放射される紫外線によって口腔内を殺菌するようにしたことを特徴としたものである。
【０００５】
請求項２の発明は、導光体又は光散乱体からなる外郭体と、該外郭内に配設された多数の紫外線ＬＥＤとから成り、該多数の紫外線ＬＥＤからの紫外線を前記外郭体を通して外部に放射する紫外線放射装置であって、前記外郭体は口腔内に挿入可能であり、前記紫外線ＬＥＤから放射される紫外線を口腔内に放射して口腔内を殺菌するようにしたことを特徴としたものである。
【０００６】
請求項３の発明は、歯科用無影灯に取り付けられた多数の紫外線ＬＥＤから成り、該紫外線ＬＥＤからの紫外線を直接及び／又は無影灯ミラーによって反射して、前記紫外線ＬＥＤから放射される紫外線を口腔内に照射して口腔内を殺菌するようにしたことを特徴としたものである。
【発明の効果】
【０００７】
本発明によると、多数の紫外線ＬＥＤを用い、これら紫外線ＬＥＤから発せられる紫外線により口腔内の殺菌を行うようにし、従来一般的に行われているように殺菌剤を使用していないので、これら消耗品の補充、保管管理等の必要がなく、また、患者にあまり負担をかけることなく、口腔内の殺菌を効果的に行うことができる。
【発明を実施するための最良の形態】
【０００８】
図１は、本発明による口腔内殺菌装置の一実施例を説明するための概略構成図で、図中、Ｍは患者、１０は本発明による紫外線照射装置で、該紫外線照射装置１０は、多数の紫外線ＬＥＤ（図示せず）を内蔵する握持部１１と、これら多数の紫外線ＬＥＤよりの紫外線を伝達する導光体部１２と、該導光体部１２の先端部を形成し該導光体部１２を通して伝達されてきた紫外線を放出する紫外線放射先端部１３とから成り、該紫外線放射先端部１３を患者の口腔内に入れ、紫外線ＬＥＤよりの紫外線を導光体部１２を通して該紫外線放射先端部１３より放射して、口腔内を殺菌する。
【０００９】
握持部１１内には、多数の紫外線ＬＥＤが設けられ、これら多数の紫外線ＬＥＤが内蔵電池或いはコードを通して伝達されている電源によって灯滅され、点灯時に発生された紫外線が任意所望の手段例えばレンズ等によって集束されて導光体部１２内に導入され、該導光体部１２の先端部１３より放出されるようになっている。紫外線放射先端部１３は、図示例の場合、特定の方向に向けて紫外線を照射して、口腔内の特定部位例えば患部を照射する例を示しているが、この紫外線放射先端部１３は、使用目的に応じて、所望の形状にすることができ、例えば、口腔内全体に紫外線を照射したい時は、先端部１３を球形にして、更には、この先端部１３を散光体で形成することにより、口腔内全体に略均一に紫外線を照射するようにすることができる。
【００１０】
導光体部１２と紫外線放射先端部１３とを分離可能にかつ交換可能にして、必要に応じて、紫外線放射先端部１３を取り換えて、治療に適した形状のものを選択して使用するようにしてもよいが、好ましくは、導光体部１２と紫外線放射先端部１３とを一体的に形成し、導光体部１２を握持部１１に対して交換可能にし、必要に応じて、所望の紫外線放射先端部を有する導光体を選択し、該所望の紫外線放射先端部を有する導光体を握持部１１に装着して使用するようにしてもよい。
【００１１】
図２は、本発明の他の実施例を説明するための概略構成図で、図２において、２０は透明体又は光散乱体から成る紫外線放射球で、該紫外線放射球２０は、患者の口腔内に入る程度の大きさであり、内部には多数の紫外線ＬＥＤが設けられており、これら多数の紫外線ＬＥＤが紫外線放射球２０内で略全方向に向けて紫外線を放射するように設けられている。この紫外線放射球２０を口腔内に入れて紫外線ＬＥＤを点灯すると、これら多数の紫外線ＬＥＤからの紫外線が口腔内全体に亘って放射され、口腔内全体を効果的に殺菌する。
【００１２】
なお、２１は紫外線ＬＥＤ用の電源コードであるが、この電源コードに代って、把持部２０’に電池を内蔵し、該電池電源によって紫外線ＬＥＤを点滅させるようにしてもよいことは、図１に示した例と同じである。ただし、電源コード２１を用いる場合には、把持部２０’は必ずしも必要ではなく、電源コード２１を紫外線放射球２０に連結するようにしてもよい。
【００１３】
図２には、紫外線放射球２０として球体を用いた場合の例を示したが、本発明は、球体に限定されるものではなく、直線状のもの、平板状のもの、Ｕ字状のもの等を予め準備しておき、必要に応じて、これらの中から治療に適した形状のものを選択して使用することができる。
【００１４】
図３は、本発明の他の実施例を説明するための概略構成図で、図３（Ａ）において、３０は本発明による紫外線放射装置の本体部で、該紫外線放射本体部３０は、歯牙列に合せて湾曲しており、湾曲に沿う中央部は歯列が入る溝３０’に形成されており、その両側の突出部３１，３２には多数の紫外線ＬＥＤが設けられており、これら紫外線ＬＥＤからの紫外線が歯牙及び歯茎Ｔに照射されるようになっている。
【００１５】
図３（Ｂ）は、図３（Ａ）に示した紫外線放射本体部３０を歯列Ｔに合せて装着した時の状態を示す断面図で、この図３（Ｂ）からも明らかなように、図３に示した紫外線放射装置を用いると、歯牙及び歯茎の内側及び外側に同時に紫外線を照射することができ、より効果的に、歯周病等の治療を行うことができる。
【００１６】
図４は、本発明による紫外線照射装置の他の実施例を説明するための概略構成図で、この実施例は、歯科治療に一般的に用いられている無影灯に多数の紫外線ＬＥＤを設け、患者の口腔外から口腔内に紫外線を照射して、口腔内の殺菌を行うようにしたものである。
【００１７】
図４（Ａ）は、多数の紫外線ＬＥＤを遮光板（又は反射板）４１の内側に（無影灯ミラー４０に向けて）設け、これら紫外線ＬＥＤから発した紫外線を無影灯ミラー４０に当て、該無影灯ミラー４０によって反射して、患者の口腔内に導くようにした例を示したものである。また、図４（Ｂ）は、遮光板（又は反射板）４１の表面に多数の紫外線ＬＥＤを設け、該紫外線ＬＥＤからの紫外線を直接、患者の口腔内に導くようにしたものである。
【００１８】
なお、図４（Ａ），（Ｂ）において、４２は通常のハロゲンランプで、無影灯として使用する時は、周知のように、該ハロゲンランプ４２を点灯し、該ハロゲンランプ４２からの光を直接無影灯ミラー４０で反射して或いは遮光板（又は反射板）４１で反射した後無影灯ミラー４０で反射して、所望の箇所、一般には、患者の口腔内を照明する。而して、この実施例によると、無影灯として使用しない時（つまり、ハロゲンランプを点灯しない時）は、紫外線ＬＥＤのみを点灯して口腔内を該紫外線ＬＥＤから発せられる紫外線で殺菌し、無影灯として使用する時でも、これら紫外線ＬＥＤをも点灯することにより、ハロゲンランプ４２からの白色光で口腔内を照明すると同時に紫外線ＬＥＤからの紫外線で口腔内を殺菌することができ、非常に効果的である。
【００１９】
しかも、この実施例においては、紫外線ＬＥＤを患者の口腔内に入れることがないので、非常に衛生的であり、しかも、患者毎に消毒（滅菌）する必要もないので、非常に使い勝手がよい。ただし、この場合、患者は口を開けている必要がある。
【図面の簡単な説明】
【００２０】
【図１】本発明による口腔内殺菌装置の一実施例を説明するための概略構成図である。
【図２】本発明による口腔内殺菌装置の他の実施例を説明するための概略構成図である。
【図３】本発明の更に他の実施例を説明するための概略構成図である。
【図４】本発明による紫外線照射装置の他の実施例を説明するための概略構成図である。
【符号の説明】
【００２１】
Ｍ…患者、ＬＥＤ…紫外線ＬＥＤ、Ｔ…歯牙及び歯茎、１０…紫外線照射装置、１１…握持部、１２…導光体部、１３…紫外線放射先端部、２０…紫外線放射球、２０’…把持部、２１…電源コード、３０…紫外線放射本体部、３０’…溝部、３１，３２…突出部、４０…無影灯ミラー、４１…遮光板（又は反射板）、４２…ハロゲンランプ。
【図１】
2006296827.tif 000003
【図２】
2006296827.tif 000004
【図３】
2006296827.tif 000005
【図４】
2006296827.tif 000006